(57)【要約】【課題】受信時間の遅延無しにコンテンツを受信することのできる通信端末装置を提供する。【解決手段】通信端末装置１００の測位部１０６において通信速度を測位し、制御部１０１において測位された通信速度に基づいて受信における許容画像容量を計算して記憶部１０２に保持する。次に、サーバから、受信対象の画像の容量を無線部１０５にて受信する。制御部１０１において、受信した画像の容量と記憶部１０２で保持する許容画像容量とを比較し、受信対象の画像容量が大きければ最適画像サイズを計算し、サーバに対して、画像の受信要求と共に要求画像サイズも送信する。このことで、画像の受信において通信速度の影響からくる遅延を解消することが可能となる。【選択図】　　　　図３
2004120572.tif 000002
【特許請求の範囲】
【請求項１】
他の装置より情報を取得する取得手段と、
前記取得手段における取得速度に応じて、取得できる情報のサイズを決定するサイズ決定手段とを備える、通信端末装置。
【請求項２】
前記他の装置より情報のサイズを取得するサイズ取得手段と、
前記他の装置より取得した情報のサイズと、前記決定された前記取得できる情報のサイズとに基づいて、前記情報についての前記決定されたサイズへの変更要求を前記他の装置へ出力する出力手段とをさらに備える、請求項１に記載の通信端末装置。
【請求項３】
前記サイズ決定手段は、前記取得速度と、前記情報の取得に許容される時間とに基づいて決定される、請求項１に記載の通信端末装置。
【請求項４】
前記情報の取得に許容される時間は、ユーザからの入力に基づいて設定可能であることを特徴とする、請求項３に記載の通信端末装置。
【請求項５】
前記サイズ決定手段は、ユーザからの入力に基づいて前記取得できる情報のサイズを決定する、請求項１に記載の通信端末装置。
【請求項６】
前記取得手段は、無線通信と有線通信との少なくとも一方の通信を行なって前記他の装置より前記情報を取得する、請求項１に記載の通信端末装置。
【請求項７】
他の装置より情報を取得する取得ステップと、
前記取得ステップにおける取得速度に応じて、取得できる情報のサイズを決定するサイズ決定ステップとを備える、取得情報サイズの決定方法。
【請求項８】
前記他の装置より情報のサイズを取得するサイズ取得ステップと、
前記他の装置より取得した情報のサイズと、前記決定された前記取得できる情報のサイズとに基づいて、前記情報についての前記決定されたサイズへの変更要求を前記他の装置へ出力する出力ステップとをさらに備える、請求項７に記載の取得情報サイズの決定方法。
【発明の詳細な説明】
【０００１】
【発明の属する技術分野】
この発明は通信端末装置、および取得情報サイズの決定方法に関し、特に、受信時間の遅延無しにコンテンツを受信することのできる通信端末装置、および取得情報サイズの決定方法に関する。
【０００２】
【従来の技術】
従来、画像等の情報を送信するサーバ側において、その画像のフォーマットやサイズを変更する技術が実用化されている。これにより、Ｗｅｂブラウザを有するＰＤＣ（Ｐｅｒｓｏｎａｌ　Ｄｉｇｉｔａｌ　Ｃｅｌｌｕｌａｒ）やＰＨＳ（Ｐｅｒｓｏｎａｌ　Ｈａｎｄｙｐｈｏｎｅ　Ｓｙｓｔｅｍ）などの通信端末装置がサーバから画像を受信する際、通信端末装置に適した画像を受信することが可能となる。
【０００３】
例えば、特許文献１においては、受信した画像を移動通信端末装置の表示画面のサイズに合わせてサイズ変更するホームページ表示方法が開示されている。
【０００４】
【特許文献１】
特開２０００−２２２３３０号公報
【０００５】
【発明が解決しようとする課題】
しかしながら、このような画像等の情報の受信は、常に良好な通信状態下で行なわれるとは限らず、他の電波の干渉や通信端末装置の状態などで、通信速度は常に変化する。そのため、電波状態が悪いと通信速度が遅くなり、たとえ通信端末装置の表示域等の出力サイズに適したサイズの画像等の情報であっても、受信にかかる時間は非常に大きなものとなってしまい、ユーザに対してコンテンツなどの閲覧時の遅延時間の煩わしさを強いるという問題がある。
【０００６】
例えば、上述の特許文献１に開示されていてるホームページ表示方法を用いた場合には、受信の時点ではその表示域を大きく上回る画像を受信している場合が多く、受信時間に関しては全く考慮されていない。そのため、コンテンツなどの閲覧時に遅延時間が発生してしまう場合もあるという問題があった。
【０００７】
本発明は、このような問題に鑑みてなされたものであり、受信時間の遅延無しにコンテンツを受信することのできる通信端末装置、および取得情報サイズの決定方法を提供することを目的とする。
【０００８】
【課題を解決するための手段】
上記目的を達成するために、本発明のある局面に従うと、通信端末装置は、他の装置より情報を取得する取得手段と、取得手段における取得速度に応じて、取得できる情報のサイズを決定するサイズ決定手段とを備える。
【０００９】
また、通信端末装置は、他の装置より情報のサイズを取得するサイズ取得手段と、他の装置より取得した情報のサイズと、決定された取得できる情報のサイズとに基づいて、情報についての決定されたサイズへの変更要求を他の装置へ出力する出力手段とをさらに備えることが望ましい。
【００１０】
また、上述のサイズ決定手段は、取得速度と、情報の取得に許容される時間とに基づいて決定されることが望ましい。
【００１１】
また、上述の情報の取得に許容される時間は、ユーザからの入力に基づいて設定可能であることが望ましい。
【００１２】
また、上述のサイズ決定手段は、ユーザからの入力に基づいて取得できる情報のサイズを決定することが望ましい。
【００１３】
また、上述の取得手段は、無線通信と有線通信との少なくとも一方の通信を行なって他の装置より情報を取得することが望ましい。
【００１４】
本発明の他の局面に従うと、取得情報サイズの決定方法は、他の装置より情報を取得する取得ステップと、取得ステップにおける取得速度に応じて、取得できる情報のサイズを決定するサイズ決定ステップとを備える。
【００１５】
また、取得情報サイズの決定方法は、他の装置より情報のサイズを取得するサイズ取得ステップと、他の装置取得した情報のサイズと、決定された取得できる情報のサイズとに基づいて、情報についての決定されたサイズへの変更要求を他の装置へ出力する出力ステップとをさらに備えることが望ましい。
【００１６】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１７】
本実施の形態における通信システムは、通信端末装置１００とサーバ２００とを含む。本実施の形態においては、通信端末装置１００は、サーバ２００から画像をダウンロードして取得するものとして説明を行なう。
【００１８】
図１に、本実施の形態における通信システムの構成の第１の具体例を示す。図１に示す具体例においては、通信端末装置１００ａは、基地局３００と無線通信を行なうことで基地局３００を介して公衆回線に接続し、サーバ２００と通信を行なう。ここでは、通信端末装置１００ａとして、携帯電話や通信機能を備えるＰＤＡ（Ｐｅｒｓｏｎａｌ　Ｄｉｇｉｔａｌ　Ａｓｓｉｓｔａｎｔｓ）等が想定される。
【００１９】
また、図２に、本実施の形態における通信システムの構成の第２の具体例を示す。図２に示す具体例においては、通信端末装置１００ｂは、ＬＡＮ（Ｌｏｃａｌ　Ａｒｅａ　Ｎｅｔｗｏｒｋ）等の専用回線やインターネット等を用いた有線通信を行なって公衆回線に接続し、サーバ２００と通信を行なう。ここでは、通信端末装置１００ｂとして、通信機能を備えるパーソナルコンピュータ等が想定される。
【００２０】
なお、上述の具体例においては、サーバ２００は公衆回線を介して通信を行なう例が示されているが、言うまでもなく、サーバ２００もまた無線通信を行なってもよいし、専用回線等を用いた通信を行なってもよい。
【００２１】
次に、図３に、本実施の形態の通信システムに含まれる通信端末装置１００の構成の具体例を示す。
【００２２】
図３を参照して、本実施の形態の通信システムに含まれる通信端末装置１００は、通信端末装置１００内部の各ブロックの動作を制御する制御部１０１と、制御部１０１で実行されるプログラムや、各種情報を記憶する記憶部１０２と、ユーザからの入力を受付けるためのインタフェースである操作部１０３と、ＬＣＤ（Ｌｉｑｕｉｄ　Ｃｒｙｓｔａｌ　Ｄｉｓｐｌａｙ：液晶ディスプレイ）等から構成され、制御部１０１より取得する文字情報や画像情報等を表示する表示部１０４と、基地局３００や他の通信端末装置との間でのデータの送受信を行なう機能を備える無線部１０５と、電波状況や公衆回線や通信端末装置１００の状態等に基づいて通信速度を計算する測位部１０６と、制御部１０１や無線部１０５を介して、サーバ２００と画像やデータの受信等のやり取りを行なうソフトウェアであるＷｅｂブラウザ１０７とを含む。
【００２３】
さらに上述の制御部１０１は、電波状況などから算出される通信速度と、ダウンロード対象の画像のサイズとに基づいて、ダウンロードを行なう画像の最適な画像サイズを算出する機能も有している。また、Ｗｅｂブラウザ１０７は、上述の算出された画像サイズの送信も行なう。さらに、記憶部１０２では、測位部１０６から得られる通信速度や、無線部１０５で受信したデータを記憶する。
【００２４】
なお、上述の如く、通信端末装置１００は、一般的な携帯電話やＰＤＡやパーソナルコンピュータ等が想定されるため、上述の構成要素の他に、各々の装置に必要な構成要素をさらに備えるものとする。
【００２５】
次に、図４に、本実施の形態の通信システムに含まれるサーバ２００の構成の具体例を示す。
【００２６】
図４を参照して、本実施の形態の通信システムに含まれるサーバ２００は、サーバ２００の各ブロックの動作を制御する制御部２０１と、制御部２０１で実行するプログラムや、Ｗｅｂコンテンツ等から取得した画像情報や、通信端末装置１００から送信されたデータ等を保持する記憶部２０２と、Ｗｅｂコンテンツ等を取得するＷｅｂブラウザ等のソフトウェア（以下、Ｗｅｂブラウザであるものとして説明を行なう）２０３と、画像処理部２０４とを含む。
【００２７】
上述の制御部２０１は、通信端末装置１００あるいは基地局３００を介して通信端末装置１００からデータや画像サイズの値等を受信し、記憶部２０２に格納する。
【００２８】
また、上述の画像処理部２０４は、Ｗｅｂブラウザ２０３等において取得したＪＰＥＧ２０００などのスケーラビリティを有するフォーマットの画像を、通信端末装置１００のＷｅｂブラウザ１０７から要求されたサイズへ変更する。
【００２９】
なお、サーバ２００は、一般的なパーソナルコンピュータ等で構築されるものであるため、上述の構成要素の他に、各々の装置に必要な構成要素をさらに備えるものとする。
【００３０】
次に、上述の通信端末装置１００とサーバ２００とを含む本実施の形態における通信システムでの画像のダウンロード処理について、図５および図６のフローチャートを用いて説明する。図５および図６のフローチャートに示される画像のダウンロード処理は、通信端末装置１００の制御部１０１およびサーバ２００の制御部２０２が、各々通信端末装置１００の記憶部１０２およびサーバ２００の記憶部２０２からプログラムを読込んで実行することによって実現される。
【００３１】
始めに図５を参照して、通信端末装置１００においてＷｅｂブラウザ１０７を起動させる（Ｓ１０１）。
【００３２】
次に、通信端末装置１００の測位部１０６において通信速度を測定し、測定された通信速度に基づいて、制御部１０１において許容画像容量を算出する（Ｓ１０３）。ここで算出される許容画像容量とは、ユーザが許容できるコンテンツのダウンロードにかけられる時間内でダウンロード可能な画像情報の容量である。ステップＳ１０３で算出された許容画像容量は、記憶部１０２において保持される。
【００３３】
ステップＳ１０３における許容画像容量の算出方法をより詳しく説明すると、許容画像容量は、通信速度と、ユーザが許容するコンテンツの受信にかけられる待ち時間（以下、単に許容待時間と言う）とを考慮して決定される。許容画像容量の算出方法の具体例として以下の式（１）が挙げられる。
【００３４】
許容画像容量　＝　現在の通信速度　×　許容待時間　　　式（１）
上述の式（１）に示されるように、許容画像容量は、現在の通信速度と待時間とを関連付けて決定される。また、許容待時間は、ユーザにより手動で設定可能とする。また、許容待時間は、自動的に設定されるものであってもよい。なお、言うまでもなく、許容画像容量は、ユーザにより手動で設定可能であっても構わない。
【００３５】
次に、通信端末装置１００の操作部１０３は、画像のダウンロードの要求をユーザから受付ける（Ｓ１０５でＹＥＳ）。なお、ステップＳ１０５でユーザから画像のダウンロード要求を受付けていない場合は（Ｓ１０５でＮＯ）、Ｗｅｂブラウザ１０７が起動している限りは、常にステップＳ１０１において許容画像容量を計算する。つまり、記憶部１０２には、常に最新の許容画像容量が保持される。
【００３６】
次に、Ｗｅｂブラウザ１０７から、制御部１０１と無線部１０５とを介してサーバ２００へ画像のダウンロードの要求を行なう（Ｓ１０７）。ステップＳ１０７で通信端末装置１００から送信されたダウンロード要求は、基地局３００を介して、あるいは直接サーバ２００で受信され（Ｓ１０９）、制御部２０１において処理される。
【００３７】
サーバ２００においては、まず、要求されたＷｅｂコンテンツなどの画像をＷｅｂブラウザ２０３において取得し（Ｓ１１１）、記憶部２０２に保持する。
【００３８】
次に、サーバ２００において、取得した画像の容量を通信端末装置１００へ送信する（Ｓ１１３）。
【００３９】
次に、通信端末装置１００においては、無線部１０５を介して、サーバ２００から送られる画像容量を受信し（Ｓ１１５）、記憶部１０２に保持する。
【００４０】
次に、図６を参照して、通信端末装置１００の制御部１０１においては、記憶部１０２に保持している受信した画像の容量と許容画像容量とを比較する（Ｓ１１７）。ステップＳ１１７における比較の結果、受信した画像の容量より許容画像容量の方が大きい場合（Ｓ１１７でＮＯ）、ステップＳ１２１へ処理を進める。一方、受信した画像の容量が許容画像容量より大きい場合は（Ｓ１１７でＹＥＳ）、受信した画像のサイズを変更する必要があるので、ステップＳ１１９へ処理を進める。
【００４１】
ステップＳ１１９においては、受信した画像の容量と許容画像容量とから、ダウンロードする画像のサイズを決定する。画像サイズ決定の具体例として、以下の処理が考えられる。
【００４２】
始めに、受信した画像の容量が許容画像容量の何倍にあたるかを計算する。これは、受信した画像の容量を許容画像容量で除して算出される。
【００４３】
次に、その倍数に基づいて、ダウンロード対象の画像の縦横のサイズの倍率を決定する。ここでは、以下に示す式（２）を用いて決定できる。
【００４４】
サイズの倍率（縦＝横）＝　ｒｏｏｔ（許容画像容量／受信画像容量）　式（２）
なお、ここでｒｏｏｔ（Ａ）はＡの平方根の計算を表わす。
【００４５】
次に、通信端末装置１００は、サーバ２００に対して、Ｗｅｂブラウザ１０７より画像の送信の要求を送る（Ｓ１２１）。このとき、ステップＳ１１９において画像サイズを決定していれば、送信要求に画像サイズの情報を付加してサーバ２００へ送信する。画像サイズの決定を行なっていない場合は、サイズ変更の要求を付加せずに画像の送信要求を送信する。
【００４６】
サーバ２００では、通信端末装置１００から送信された画像の送信要求を受信する（Ｓ１２３）。そして、受信した送信要求に、画像サイズの変更要求が付加されていなければ（Ｓ１２５でＮＯ）、そのままステップＳ１２９へ処理を進める。サイズ変更の要求が付加されている場合（Ｓ１２５でＹＥＳ）、ステップＳ１２７へ処理を進め、画像サイズの変更を行なう。
【００４７】
ステップＳ１２７においては、サーバ２００の記憶部２０２で保持している画像情報を、画像処理部２０４において要求された画像サイズへ変更し、これを記憶部２０２で保持している画像情報と置換える。そして、記憶部２０２で保持している画像サイズが変更された画像情報を、通信端末装置１００へ送信する（Ｓ１２９）。
【００４８】
通信端末装置１００においては、無線部１０５を介してサーバ２００から画像を受信する（Ｓ１３１）。そして、Ｗｅｂブラウザ１０７を介して、表示部１０４に受信した画像を表示する（Ｓ１３３）。さらに、表示が終了したら、上述のステップＳ１０５へ処理を戻し、操作部１０３においてユーザから次の操作を受付けて、上述の処理を繰返す。
【００４９】
以上で、本実施の形態における通信システムでの画像のダウンロード処理が終了する。
【００５０】
ここで、さらに図７に示すような通信システムの具体例を挙げ、上述の画像のダウンロード処理について具体的に説明する。図７に示す具体例においては、通信端末装置１００は、Ｗ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）通信方法を採用した通信端末装置であるものとする。また、サーバ２００は、Ｗｅｂブラウザ２０３において、ＪＰＥＧ２０００フォーマットで提供されているＷｅｂコンテンツを取得して画像をダウンロードするものとする。また、通信端末装置１００のユーザがダウンロードに許容できる時間は、５秒までであるものとする。
【００５１】
Ｗ−ＣＤＭＡ通信方法を採用した通信端末装置１００では、下りで最大３８４Ｋｂｐｓの通信が可能であるが、実際には周囲の電波状況により変化する。そこで、図８に示す通信速度と画像サイズとの関係を参照しながら、ここで１５０Ｋｂｙｔｅｓの画像をダウンロードする場合について以下に具体的に説明する。
【００５２】
電波状況の悪化で、測位部１０６において測定した通信速度が３８４Ｋｂｐｓから２８８Ｋｂｐｓへ低下した場合、上述のステップＳ１０３では、図８を参照して、５秒間でダウンロード可能な画像サイズ（許容画像容量）は１８０Ｋｂｙｔｅｓと算出される。この場合、ステップＳ１１７では、受信する画像の容量（１５０Ｋｂｙｔｅｓ）が許容画像容量（１８０Ｋｂｙｔｅｓ）よりも小さいと判断され、ステップＳ１１９での画像サイズの変更を行なわずにダウンロードを行なうことができる。
【００５３】
しかし、通信速度が１９２Ｋｂｐｓである場合、上述のステップＳ１０３では、図８を参照して、５秒間でダウンロード可能な画像サイズ（許容画像容量）は１２０Ｋｂｙｔｅｓと算出される。この場合、ステップＳ１１７では、受信する画像の容量（１５０Ｋｂｙｔｅｓ）が許容画像容量（１２０Ｋｂｙｔｅｓ）よりも大きく、１５０Ｋｂｙｔｅｓの画像のダウンロードを行なうと許容時間（５秒）を超えてしまうと判断される。そこで、ステップＳ１１９において、許容時間（５秒）内にダウンロードができるように画像サイズの変更を行なうための、画像サイズを決定する。すなわち、ステップＳ１１９において、受信する画像の容量を許容画像容量（１２０Ｋｂｙｔｅｓ）以内になるようにサイズの変更を行なうためのサイズを決定する。
【００５４】
ここでは、上述の式（２）を参照して、受信する画像サイズを０．８９倍へ縮小すればよい。そこで、上述のステップＳ１２１においては、通信端末装置１００のＷｅｂブラウザ１０７において、制御部１０１で算出された上述の要求サイズ（０．８９倍）を、画像の送信要求に付加してサーバ２００へ送信する。そして、サーバ２００は、上述のステップＳ１２７で画像処理部２０４において画像を要求されたサイズへ変更し、ステップＳ１２９において通信端末装置１００へ送信する。これにより、通信端末装置１００では、現状の通信速度に応じたサイズの画像を取得することができる。
【００５５】
本実施の形態における通信システムで上述の処理が実行されることで、通信端末装置１００においては、通信端末装置１００の電波状況等から算出される通信速度に応じた最適な画像サイズが決定される。そして、決定された画像サイズ情報を付加した画像要求をサーバ２００へ行なうことで、通信端末装置１００における画像のダウンロード時に、現状の通信状態に適したサイズの画像を取得することが可能となり、コンテンツなどの閲覧時の遅延時間の煩わしさを解消することができる。
【００５６】
なお、以上の実施の形態においては、画像をダウンロードする場合について述べたが、ダウンロードする情報は画像に限定されるものではなく、音声やその他一般的な情報であっても構わない。そのような場合も、本実施の形態における通信システムでは、上述の処理と同様に、その情報の容量と通信速度とに基づいて受信する情報の容量を決定し情報サイズを変更してダウンロードを行なう。
【００５７】
また、上述の実施の形態においては、通信端末装置１００において、ステップＳ１１７〜Ｓ１２１に示される画像サイズの決定を行なう例が示されたが、画像サイズの決定をサーバ２００で行なうこともできる。この場合、通信端末装置１００では、ステップＳ１０７において画像のダウンロード要求と共に、許容画像容量をサーバ２００に対して送信することが好ましい。そして、受信した通信端末装置１００における許容画像容量に基づいて、サーバ２００においてステップＳ１１７〜Ｓ１２１に示される画像サイズの決定を行ない、決定されたサイズに自動的に変更してステップＳ１２９で通信端末装置１００に画像を送信してもよい。また、画像を送信する際に、サーバ２００において自動的に通信端末装置１００の現在の通信速度や許容待時間の情報を取得して許容画像容量を算出し、画像サイズの変換を行なってもよい。
【００５８】
また、本実施の形態においては、通信端末装置１００とサーバ２００とを含む通信システムにおいて、通信端末装置１００がサーバ２００から画像等の情報をダウンロードする場合について説明したが、サーバ２００は、サーバに限定されず、通信端末装置１００を含む他の装置であっても構わない。この場合には、通信端末装置１００を含む他の装置において、上述のサーバ２００における処理が実行されるものとする。このように、通信端末装置１００どうしでも上述の処理が実行されることで、ピア・ツー・ピア（Ｐｅｅｒ　ｔｏ　Ｐｅｅｒ）である通信システムにおいても、遅延時間なく情報のダウンロードを行なうことができる。
【００５９】
さらに、上述の通信端末装置１００において行なわれるダウンロードする情報サイズの決定方法を、プログラムとして提供することもできる。このようなプログラムは、コンピュータに付属するフレキシブルディスク、ＣＤ−ＲＯＭ（Ｃｏｍｐａｃｔ　Ｄｉｓｃ−Ｒｅａｄ　Ｏｎｌｙ　Ｍｅｍｏｒｙ）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６０】
提供されるプログラム製品は、ハードディスクなどのプログラム格納部にインストールされて実行される。なお、プログラム製品は、プログラム自体と、プログラムが記録された記録媒体とを含む。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態における通信システムの構成の第１の具体例を示す図である。
【図２】本発明の実施の形態における通信システムの構成の第２の具体例を示す図である。
【図３】本発明の実施の形態の通信システムに含まれる通信端末装置１００の構成の具体例を示す図である。
【図４】本発明の実施の形態の通信システムに含まれるサーバ２００の構成の具体例を示す図である。
【図５】本発明の実施の形態における通信システムでの画像のダウンロード処理について示すフローチャートである。
【図６】本発明の実施の形態における通信システムでの画像のダウンロード処理について示すフローチャートである。
【図７】本発明の実施の形態における通信システムの具体例を示す図である。
【図８】通信速度と画像サイズとの関係を示す図である。
【符号の説明】
１００，１００ａ，１００ｂ　通信端末装置、１０１　通信端末装置の制御部、１０２　通信端末装置の記憶部、１０３　操作部、１０４　表示部、１０５　無線部、１０６　測位部、１０７　通信端末装置のＷｅｂブラウザ、２００　サーバ、２０１　サーバの制御部、２０２　サーバの記憶部、２０３　サーバのＷｅｂブラウザ、２０４　画像処理部、３００　基地局。
【図１】
2004120572.tif 000003
【図２】
2004120572.tif 000004
【図３】
2004120572.tif 000005
【図４】
2004120572.tif 000006
【図５】
2004120572.tif 000007
【図６】
2004120572.tif 000008
【図７】
2004120572.tif 000009
【図８】
2004120572.tif 000010